(57)【要約】【目的】クリーニングブラシでより確実に洗浄することができる内視鏡管路の接続部構造及び接続方法を得る。【構成】挿入部と操作部内に挿入されている管路が、硬質管路体と、この硬質管路体の端部外周に被着された軟質管路とからなる内視鏡管路において、上記硬質管路体の端部に、該端部と軟質管路内面との間の段差を小さくする接着剤を充填する。【選択図】　図３
2004049818.tif 000002
【特許請求の範囲】
【請求項１】
挿入部と操作部内に挿入されている管路が、硬質管路体と、この硬質管路体の端部外周に被着された軟質管路とからなる内視鏡管路において、
上記硬質管路体の端部に、該端部と軟質管路内面との間の段差を小さくする接着剤を充填したことを特徴とする内視鏡管路の接続部構造。
【請求項２】
請求項１記載の内視鏡管路の接続部構造において、硬質管路体は金属製であり、軟質管路体は合成樹脂チューブである内視鏡管路の接続部構造。
【請求項３】
挿入部と操作部内に挿入されている管路が、硬質管路体と、この硬質管路体の端部外周に被着された軟質管路とからなる内視鏡管路において、
上記軟質管路の端部内面に接着剤を塗布した後、該軟質管路内に硬質管路体を挿入して接着させ、上記軟質管路内にはみ出した余分な接着剤を研磨除去することを特徴とする内視鏡管路の接続方法。
【請求項４】
請求項３記載の内視鏡管路の接続方法において、硬質管路体は金属製であり、軟質管路体は合成樹脂チューブである内視鏡管路の接続方法。
【発明の詳細な説明】
【０００１】
【技術分野】
本発明は、内視鏡管路の接続部構造及び接続方法に関する。
【０００２】
【従来技術およびその問題点】
内視鏡では、挿入部と操作部内に各種の管路が挿通されている。代表的に処置具挿通チャンネルは、その両端部が操作部と挿入部に開口している。この処置具挿通チャンネルは、各種の処置具が挿通され、体腔内の体液や汚物で汚染される。このため、使用後はクリーニングブラシを挿通して洗浄することが不可欠である。
【０００３】
しかしながら、処置具挿通チャンネルを含む管路は、硬質管路体と、この硬質管路体の端部外周に被着された軟質管路とから構成されており、この被着部に僅かな段差が生じる。この段差に入り込んだ汚物を除去するには、クリーニングブラシを何度も挿通させて念入りに洗浄する必要があった。
【０００４】
【発明の目的】
本発明は、以上の問題意識に基づき、クリーニングブラシでより確実に洗浄することができる内視鏡管路の接続部構造及び接続方法を得ることを目的とする。
【０００５】
【発明の概要】
本発明による内視鏡管路の接続部構造は、挿入部と操作部内に挿入されている管路が、硬質管路体と、この硬質管路体の端部外周に被着された軟質管路とからなる内視鏡管路において、上記硬質管路体の端部に、該端部と軟質管路内面との間の段差を小さくする接着剤を充填したことを特徴としている。
【０００６】
上記構成によれば、硬質管路体の端部と軟質管路内面との間の段差を良好に解消することができ、内視鏡管路のブラッシング洗浄を容易にすることが可能である。上記硬質管路体は金属製とし、軟質管路体は合成樹脂チューブとするのが実際的である。
【０００７】
また、本発明による内視鏡管路の接続方法は、挿入部と操作部内に挿入されている管路が、硬質管路体と、この硬質管路体の端部外周に被着された軟質管路とからなる内視鏡管路において、上記軟質管路の端部内面に接着剤を塗布した後、該軟質管路内に硬質管路体を挿入して接着することを特徴としている。
【０００８】
【発明の実施形態】
図１は、内視鏡１０の全体構成の一例を示すものである。内視鏡１０は、体腔内に挿入される挿入部１１と、その基部側に接続された操作部１２と、操作部１２から延設されたユニバーサルチューブ１３と、ユニバーサルチューブ１３の末端に設けたコネクタ部１４とを有しており、コネクタ部１４を介して内視鏡本体とは別体の図示しないプロセッサに着脱可能となっている。
【０００９】
挿入部先端１１ａには、図２に示すように観察窓１５、照明窓１６、送気送水ノズル１７及び処置具挿通チャンネル出口１８が配置されている。観察窓１５の後方には対物レンズが配置されており、この対物レンズによって結像された像はＣＣＤで電子画像化され、内視鏡１０とは別体のプロセッサを介しＴＶモニタ上で観察することができる。また照明窓１６には照明用レンズが配置されており、この照明用レンズにはライトガイドを介してプロセッサ内の光源からの照明光が与えられる。送気送水ノズル１７は観察窓１５の洗浄用ノズルである。
【００１０】
挿入部１１と操作部１２の間に位置する連結部１９には、処置具挿通チャンネル出口１８に連通する入口を挿設（または収納）する処置具挿入口突起２０が設けられている。図３に示されるように処置具挿入口突起２０は、連結部１９から斜め外方に向けて突設された中空筒状部であり、この中空内部には処置具挿通チャンネル２１の入口側端部が連通している。
【００１１】
処置具挿通チャンネル２１は、金属製の硬質管路体２２と、例えばフッ素樹脂等の合成樹脂材料により形成された軟質管路２３とからなる。硬質管路体２２は、処置具挿入口突起２０から外方へ突出された入口側端部２２ａと、対向する２つの接続端部（第１、第２接続端部）２２ｂ、２２ｃとを有し、第１接続端部２２ｂの外周には上記軟質管路２３がチューブ止め２４を介して被着されている。軟質管路２３は、その出口側端部が処置具挿通チャンネル出口１８と連通していて、硬質管路体２２の入口側端部２２ａから挿入した処置具を処置具挿通チャンネル出口１８から延出させる。以上の第１接続端部２２ｂと軟質管路２３の内面との間には、段差が生じないように接着剤（シーリング剤）４０が充填されていて、この接着剤４０により硬質管路体２２と軟質管路２３とを滑らかに接続することができる。図４に、第１接続端部２２ｂと軟質管路２３との接続部を拡大して示す。
【００１２】
一方、硬質管路体２２の第２の接続端部２２ｃには、処置具挿通チャンネル２１とは別に、処置具挿通チャンネル出口１８から体液や汚物などを吸引するための第１吸引チューブ２５がチューブ止め２４を介して被着されている。第１吸引チューブ２５は、軟質管路２３と同様、例えばフッ素樹脂等の合成樹脂材料により形成されている。この第２接続端部２２ｃと第１吸引チューブ２５の内面との間にも、段差が生じないように接着剤４０が充填されている。
【００１３】
操作部１２には、体腔内の汚物を処置具挿通チャンネル出口１８から吸引するための吸引ボタン３０及びこの吸引ボタン３０に連結された吸引シリンダ２７が設けられている。図５に示されるように吸引シリンダ２７には、その下端部と側面部にそれぞれ位置させて、金属製の第１、第２中継硬質管路体２６、２８が固定されている。第１中継硬質管路体２６には上記第１吸引チューブ２５の他端部がチューブ止め２４を介して被着され、第２中継硬質管路体２８には第２吸引チューブ２９の一端部がチューブ止め２４を介して被着されている。第２吸引チューブ２９は、操作部１２からユニバーサルチューブ１３及びコネクタ部１４に挿通され、その他端部がコネクタ部１４に突設した吸引口金３１に連通している。図６に示すように吸引口金３１の下端部には、金属製の第３中継硬質管路体３２が固定されており、この第３中継硬質管路体３２に上記第２吸引チューブ２９の他端部がチューブ止め２４を介して被着されている。
【００１４】
以上の第１中継硬質管路体２６と第１吸引チューブ２５の他端部内面との間、第２中継硬質管路体２８と第２吸引チューブ２９の一端部内面との間、及び第３中継管路３２と第２吸引チューブ２９の他端部内面との間にもそれぞれ、段差が生じないように接着剤４０が充填されている。本実施形態では、軟質管路２３、第１吸引チューブ２５、第１中継硬質管路体２６、吸引シリンダ２７、第２中継硬質管路体２８、第２吸引チューブ２９及び第３中継硬質管路体３２により吸引管路が構成されており、処置具挿通チャンネル２１の一部は吸引管路の一部としても機能している。
【００１５】
以上のように本実施形態では、硬質管路体２２（または第１〜第３中継硬質管路体２６、２８、３２）と軟質管路２３（または第１、第２吸引チューブ２５、２９）との間に生じる段差を接着剤４０により解消し、該硬質管路体と軟質管路を滑らかに接続されている。このように段差が解消されれば、管路内に汚物が溜まりにくく、クリーニングブラシでより確実且つ容易に洗浄することができる。
【００１６】
処置具挿通チャンネル２１は、以下の手順で接続する。
先ず、硬質管路体２２と軟質管路２３の接着性を上げるため、硬質管路体２２の第１接続端部２２ｂの外周面にプライマー（下塗り剤）を塗布する（プライマー処理）。次に、軟質管路２３の内面に接着剤４０を塗布し、該軟質管路２３を第１接続端部２２ｂに被着する。続いて、軟質管路２３にチューブ止め２４を被着して軟質管路２３を固定し、接着剤４０が硬化するまで待機する。そして接着剤４０が硬化したら、硬質管路体２２及び軟質管路２３内にはみ出した接着剤を研磨により除去し、硬質管路体２２と軟質管路２３との間の段差を無くす。以上により、硬質管路体２２と軟質管路２３が滑らかに接続される。
【００１７】
吸引管路（硬質管路体２２の第２接続端部２２ｃと第１吸引チューブ２５、第１吸引チューブ２５と第１中継硬質管路体２６、第２中継硬質管路体２８と第２吸引チューブ２９、第２吸引チューブ２９と第３中継硬質管路体３２）の接続は、上記と同様の手順により行なうことができる。
【００１８】
以上、図示実施形態に基づいて本発明を説明したが、本発明は図示実施形態に限定されるものではない。例えば本発明は、処置具挿通チャンネルや吸引管路以外にも、送気送水ノズルに連通する送気送水管路など、硬質管路体と軟質管路からなる内視鏡管路に対して適用可能である。
【００１９】
【発明の効果】
以上のように本発明によれば、クリーニングブラシでより確実に洗浄することができる内視鏡管路の接続部構造及び接続方法を得ることができる。
【図面の簡単な説明】
【図１】本発明を適用した内視鏡の全体構成図である。
【図２】図１のＩＩ矢視図である。
【図３】処置具挿通チャンネルの接続部構造を示す部分断面図である。
【図４】図３の第１接続端部と軟質管路の接続部を拡大して示す拡大部分断面図である。
【図５】吸引管路（吸引シリンダ付近）の接続部構造を示す部分断面図である。
【図６】吸引管路（コネクタ部付近）の接続部構造を示す部分断面図である。
【符号の説明】
１０　内視鏡
１１　挿入部
１２　操作部
１３　ユニバーサルチューブ
１４　コネクタ部
１５　観察窓
１６　照明窓
１７　送気送水ノズル
１８　処置具挿通チャンネル出口
１９　連結部
２０　処置具挿入口突起
２１　処置具挿通チャンネル
２２　硬質管路体
２２ａ　入口側端部
２２ｂ　第１接続端部
２２ｃ　第２接続端部
２３　軟質管路
２４　チューブ止め
２５　第１吸引チューブ
２６　第１中継硬質管路体
２７　吸引シリンダ
２８　第２中継硬質管路体
２９　第２吸引チューブ
３０　吸引ボタン
３１　吸引口金
３２　第３中継硬質管路体
４０　接着剤
【図１】
2004049818.tif 000003
【図２】
2004049818.tif 000004
【図３】
2004049818.tif 000005
【図４】
2004049818.tif 000006
【図５】
2004049818.tif 000007
【図６】
2004049818.tif 000008